(57)【特許請求の範囲】
【請求項１】
一側面に圧縮された処理物を圧縮室から取り出すことのできる取出口を設け、取出口に開閉可能な取出扉を設けるとともに処理物を投入可能な投入口を設けている圧縮室と、該圧縮室内で上下動して処理物を繰り返し圧縮するプレス体とを有する圧縮手段と、圧縮された処理物を結束する結束手段とを有する圧縮装置において、
結束手段による処理物の結束後、処理物を取出口方向へ押すことが可能な処理物押出機構を設け、
処理物押出機構は、圧縮室の取出口の対面位置に設けられ、圧縮された処理物を圧縮室から取出口方向へ押すことが可能な押出板と、該押出板によってプレス体の上昇により処理物を圧縮室から取出口方向へ押す作動をさせる押出手段と、取出口方向へ移動した押出板を、取出扉の閉作動によって取出口の対面壁の元の位置に戻す押出板戻し手段とを有し、
前記押出手段は、プレス体に設けられるフックと、該フックと係合可能なフックプレート及び戻しバネとを有して上下動可能な連動ロッドと、該連動ロッドと押出板との間に設けられる揺動ブラケットとを有して構成されていて、プレス体の上昇によって前記フックとフックプレートが係合して連動ロッドを上昇させ、揺動ブラケットを介して押出板に処理物を圧縮室内から取出口方向へ押し出す作動をさせるとともに、
前記押出板戻し手段は、取出口からその対面壁方向へ水平に設けられ、取出扉の閉作動により連動ロッドを取出口の対面壁外方向へ移動させることが可能なプッシュロッドと、プッシュロッドを取出口方向へ付勢する付勢部材とを有し、取出扉の閉作動により、連動ロッドをフックプレートとフックとの係合を外す方向へ移動させ、不係合状態とすることにより前記連動ロッドの戻しバネで押出板を取出口の対面壁の元の位置に戻すように構成されていることを特徴とする圧縮装置の処理物押出機構。
【請求項２】
プレス体に設けられるフックは、水平方向の回動軸を中心に上下方向に回動可能で、自重または付勢力により常に取出口の対面壁方向へ回動端側が回動可能に設けてあり、対面壁上方部の連動ロッド配設箇所にはフックの回動端側が圧縮室外方向に突出して連動ロッドのフックプレートと係合可能な上下方向の長穴が設けてあり、プレス体の上下動により対面壁からフックが圧縮室外側に突没状態となることを特徴とした請求項１記載の圧縮装置の処理物押出機構。
【発明の詳細な説明】
【技術分野】
【０００１】
本発明は、プラスチック類、ペットボトル、紙類などの廃棄物を処理物として圧縮し結束する圧縮装置において、圧縮された処理物を圧縮室より押出す圧縮装置の処理物押出機構に関する。
【背景技術】
【０００２】
プラスチック類、ペットボトル、紙類などの廃棄物を処理物として圧縮して結束する圧縮装置は、圧縮室内で複数回に亘りシリンダー等により一方向から繰り返し処理物を圧縮して結束して圧縮物として取り出していた。
【０００３】
このような圧縮装置は、多数知られているが例えば特開２００１−３２８６０４号公報（従来技術１）には、「圧縮室の背面にベールの復元防止爪を突設して、ベールを効率よく圧縮したのち、圧縮室外での操作により押出部材を扉に連結し、扉に連動させてベールを圧縮室の前方に押し出す」という「圧縮機のベール押出装置」であり、「押出板１４を圧縮室２の背面側に配置し、ステイ１５を介しロッド１９に連結する。パイプ２４をロッド１９に摺動可能に挿入し、ブラケット２５を介し大扉３のヒンジ部１８近傍に回動可能に取り付ける。ロッド１９の前端に掛止爪２７を回動可能に支持し、大扉３の外側に足踏ペダル３０を設ける。ベール取出時には、足踏ペダル３０のカム部３２で掛止爪２７を回動してパイプ２４の前端に引っ掛け、ロッド１９を大扉３に連結する。この状態で、大扉３を開き、ロッド１９を引き出し、押出板１４でベールＢを圧縮室２の前方に押し出して、復元防止爪１３から外す」という構成の開示がある。
【０００４】
また、特許第３７２７９８８号公報（従来技術２）には、「立て形構造であり、ほぼ矩形で、プレス区域と充填区域とに分かれ、別々のフロントドアによって閉鎖された縦穴部の構造を有し、該縦穴部内を機械的に鉛直に移動させられるプレスラムと、前記縦穴部の、複数の壁の所の、圧縮すべき材料に対する複数のスペーサ部材および複数の保持爪とを有する廃棄物プレスにおいて、前記スペーサ部材（４）が、前記プレス（１）の前記縦穴部（Ｓ）の前記充填区域（Ｅ）内で後壁（Ｒ）および／または前記フロントドア（２）の内側（２ａ）に定置されていることと、前記保持爪（５、６）が、既に前記縦穴部の下部区域、すなわち前記プレス区域（Ｐ）内に圧縮された材料、または完成したがまだ結束されていない集積物のために、前記縦穴部（Ｓ）の前記プレス区域（Ｐ）内で前記後壁（Ｒ）と前記フロントドア（３）の、複数の貫通口（Ｄ）内に揺動可能であることとを組み合わせたことを特徴とする廃棄物プレス」の開示がある。
【０００５】
本願出願人及び本願発明者は、特願２００８−２４２３３３号において「一側面に圧縮された処理物を圧縮室から取り出すことのできる取出口を設け、取出口に開閉可能な取出扉を設けるとともに処理物を投入可能な投入口を設けている圧縮室と、圧縮室内で上下動して処理物を繰り返し圧縮するプレス体とを有する圧縮手段と、圧縮された処理物を結束する結束装置とを有する圧縮装置において、
結束装置による処理物の結束後、処理物を取出口方向へ押すことが可能な処理物押出機構を設け、処理物押出機構は、圧縮室の取出口の対面に圧縮された処理物を圧縮室から取出口方向へ押すことが可能な押出板と、プレス体の上昇によって押出板を処理物を圧縮室から取出口方向へ押す作動をさせる押出手段とを有する圧縮装置の処理物押出機構であり、
押出手段が、プレス体に設けられ回動軸を中心に回動可能な切替フックと、切替フックと係合可能なフックプレート及び戻しバネとを有し上下動可能な連動ロッドと、連動ロッドと押出板との間に設けられる揺動ブラケットとを有し、
切替フックは、連動ロッドに設けられているフックプレートとの不係合状態から回動させられることによりフックプレートを下方から係合できる係合状態となり、プレス体の上昇によって連動ロッドを上昇させ揺動ブラケットを介して押出板を処理物を圧縮室内から取出口方向へ押し出す作動をさせ、プレス体の下降によって自動的に回動してフックプレートとの不係合状態に戻るとともに、
プレス体の下降によって連動ロッドを下降させ揺動ブラケットを介して押出板を圧縮室内の元の位置に戻す方向へ作動させる圧縮装置の処理物押出機構（関連技術１）」を提案した。
【先行技術文献】
【特許文献】
【０００６】
【特許文献１】特開２００１−３２８６０４号公報（従来技術１）
【特許文献２】特許第３７２７９８８号公報（従来技術２）
【発明の概要】
【発明が解決しようとする課題】
【０００７】
しかし、従来技術１の押出手段は、大扉３を一旦開放してベールを結束後に閉じて「ベール取出時には、足踏ペダル３０のカム部３２で掛止爪２７を回動してパイプ２４の前端に引っ掛け、ロッド１９を大扉３に連結する。この状態で、大扉３を開き、ロッド１９を引き出し、押出板１４でベールＢを圧縮室２の前方に押し出して、復元防止爪１３から外す」という構成であり、ベール取出時に作業者が大扉の開閉を繰り返すとともに押し出すための力作業が必要であり、複雑な構成であり、かつ製造コストにも課題があった。
【０００８】
また、復元防止爪が設けられた圧縮装置であると、処理物の復元力が復元防止爪に作用して抵抗となり押出手段がないと処理物が圧縮室からなかなか引き出せない課題があった。
【０００９】
本願出願人及び本願発明者は、関連技術１において上述する課題を解決した。しかし押出板を圧縮室内の元の位置に戻す方向への作動が、プレス体の下降によって行われるため、プレス体の下降前に、誤って圧縮室内へプラスチック類、ペットボトル、紙類などの処理物を投入されるおそれがあり、その場合投入された処理物が、未だ元の位置に戻っていない押出板と、取出口の対面壁との間に挟まってしまう問題点があった。また、プレス体を一工程上下動させないと処理物を投入できないため、作業効率がよくない問題があった。
【課題を解決するための手段】
【００１０】
上記課題を解決するために、一側面に圧縮された処理物を圧縮室から取り出すことのできる取出口を設け、取出口に開閉可能な取出扉を設けるとともに処理物を投入可能な投入口を設けている圧縮室と、該圧縮室内で上下動して処理物を繰り返し圧縮するプレス体とを有する圧縮手段と、圧縮された処理物を結束する結束手段とを有する圧縮装置において、結束手段による処理物の結束後、処理物を取出口方向へ押すことが可能な処理物押出機構を設け、処理物押出機構は、圧縮室の取出口の対面位置に設けられ、圧縮された処理物を圧縮室から取出口方向へ押すことが可能な押出板と、該押出板によってプレス体の上昇により処理物を圧縮室から取出口方向へ押す作動をさせる押出手段と、取出口方向へ移動した押出板を、取出扉の閉作動によって取出口の対面壁の元の位置に戻す押出板戻し手段とを有し、前記押出手段は、プレス体に設けられるフックと、該フックと係合可能なフックプレート及び戻しバネとを有して上下動可能な連動ロッドと、該連動ロッドと押出板との間に設けられる揺動ブラケットとを有して構成されていて、プレス体の上昇によって前記フックとフックプレートが係合して連動ロッドを上昇させ、揺動ブラケットを介して押出板に処理物を圧縮室内から取出口方向へ押し出す作動をさせるとともに、前記押出板戻し手段は、取出口からその対面壁方向へ水平に設けられ、取出扉の閉作動により連動ロッドを取出口の対面壁外方向へ移動させることが可能なプッシュロッドと、プッシュロッドを取出口方向へ付勢する付勢部材とを有し、取出扉の閉作動により、連動ロッドをフックプレートとフックとの係合を外す方向へ移動させ、不係合状態とすることにより前記連動ロッドの戻しバネで押出板を取出口の対面壁の元の位置に戻すように構成されていることを特徴とする圧縮装置の処理物押出機構を提案する。
【００１３】
また、プレス体に設けられるフックは、水平方向の回動軸を中心に上下方向に回動可能で、自重または付勢力により常に取出口の対面壁方向へ回動端側が回動可能に設けてあり、対面壁上方部の連動ロッド配設箇所にはフックの回動端側が圧縮室外方向に突出して連動ロッドのフックプレートと係合可能な上下方向の長穴が設けてあり、プレス体の上下動により対面壁からフックが圧縮室外側に突没状態となることを特徴とした００１０欄記載の圧縮装置の処理物押出機構を提案する。
【発明の効果】
【００１５】
この発明によれば、処理物押出機構が取出扉の開動作を行うことにより、処理物を圧縮室から取出口方向へ押す動作を行える状態に自動的に切替わるため、作業者は処理物押出機構の切替作業を行う必要がなく、結束手段による処理物の結束後にプレス体を上昇させるのみで処理物を取出口方向へ自動的に押出すことができるため効率よい作業が行えるとともに、作業者が処理物を取出す為の力作業の必要がなく、結束後の処理物を取出口から押し出した後、取出扉を閉めることによって自動的に処理物押出機構が不作動状態に切り替わるため、切替作業を忘れるなどの不具合が防止され、さらに作業効率がよくなる。
【００１６】
また、処理物押出機構は、圧縮室の取出口の対面位置に設けられ、圧縮された処理物を圧縮室から取出口方向へ押すことが可能な押出板と、押出板によってプレス体の上昇により処理物を圧縮室から取出口方向へ押す作動をさせる押出手段と、取出口方向へ移動した押出板を、取出扉の閉作動によって取出口の対面壁の元の位置に戻す押出板戻し手段とを有していることにより、結束後の処理物を取出口から押し出した後、取出扉を閉めることによって自動的に押出板を取出口の対面壁の元の位置に戻すことができるため、押出板が元の位置に戻らないうちに誤って圧縮室内へプラスチック類、ペットボトル、紙類などの廃棄物を投入される可能性がなくなった。そのため取出口方向へ移動した押出板と取出口の対面壁との間に投入された処理物が挟まることがなくなり、装置が故障を起こすことがなく、作業の安全性が向上した。
【００１７】
さらに、プレス体に設けられるフックは、水平方向の回動軸を中心に上下方向に回動可能であり、自重または付勢力により常に取出口の対面壁方向へ回動端側が回動可能に設けてあり、対面壁上方部の連動ロッド配設箇所にはフックの回動端側が圧縮室外方向に突出して連動ロッドのフックプレートと係合可能な上下方向の長穴が設けてあり、プレス体の上下動により対面壁からフックが圧縮室外側に突没状態となっている構成により、プレス体の上昇時にはフックが連動ロッドのフックプレートと常に係合可能状態となり、取出扉の開閉動作によって処理物押出機構を自動的に作動させる機構を簡単な構成で実現可能であり、フックの突出する上下方向の長穴を対面壁上方部の連動ロッド配設箇所のみに設けて処理物が圧縮される下方部には設けていないために、長穴に処理物が挟まる等のトラブルが回避されるとともに、長穴を設けることによる圧縮室の強度を低下させることを回避できる。
【図面の簡単な説明】
【００１９】
【図１】この発明の実施形態を示す処理物押出機構の作用を示す側面説明図
【図２】この発明の実施形態を示す処理物押出機構の作用を示す側面説明図
【図３】この発明の実施形態を示す処理物押出機構の作用を示す側面説明図
【図４】この発明の実施形態を示す処理物押出機構の作用を示す側面説明図
【図５】この発明の実施形態を示す処理物押出機構の要部である押出手段及び押出板戻し手段の斜視図
【図６】この発明の実施形態を示す処理物押出機構の押出板戻し手段の作動を示す平面説明図
【図７】この発明の実施形態を示す処理物押出機構の押出板戻し手段の作動を示す平面説明図
【図８】プレス体に設けたフックの作動説明図
【図９】この発明の実施形態を示す圧縮装置の取出扉を開けた状態の斜視図
【図１０】この発明の実施形態を示す圧縮装置の投入扉を開けた状態の斜視図
【図１１】この発明の実施形態を示す圧縮装置の取出扉を開けた状態の正面図
【図１２】この発明の実施形態を示す結束手段の説明図
【発明を実施するための形態】
【００２０】
以下、本発明の実施例を以下の図面に基づいて説明する。この発明の実施形態について図１乃至図１２に基づいて説明する。図１乃至図４は、この発明の処理物押出機構の作用を示す側面説明図、図５は処理物押出機構の要部である押出手段及び押出板戻し手段の斜視図、図６、図７は処理物押出機構の押出板戻し手段の作動を示す平面説明図、図８はプレス体に設けたフックの作動説明図、図９、図１０は圧縮装置の斜視図、図１１は圧縮室内部を説明する為の圧縮装置の取出扉を開けた状態の正面図、図１２は結束手段の作用説明図である。
【００２１】
この発明の実施形態である圧縮装置１の処理物押出機構２は、圧縮手段３によって圧縮室４内に投入される処理物Ｂを繰り返し圧縮し、圧縮された処理物Ｂを結束手段５によって結束後に圧縮室４内から押し出す押出手段２１とともに、処理物Ｂを押す作動によって取出口４０方向へ移動した押出板２０を取出扉４１の閉作動によって取出口４０の対面壁の位置に戻す押出板戻し手段７を有する処理物押出機構である。
【００２２】
圧縮手段３は、この実施形態では油圧シリンダー装置からなり圧縮室４の上部に設けられている。圧縮手段である油圧シリンダー装置３は、油圧タンク３０、制御弁３１、油圧ポンプ３２、油圧シリンダー３３、プレス体３４及びプレス体案内シャフト３５とからなる。油圧シリンダー３３はシリンダー本体３３ａとシリンダーロッド３３ｂからなり、シリンダーロッド３３ｂの先端には後述する圧縮室４の横断面形状に近い板状体であるプレス体３４を水平方向に固定して設ける。シリンダー本体３３ａは、圧縮室４の上部にシリンダーロッド３３ｂの伸長方向を下方に向けて設けられており、プレス体３４の下方への繰り返しの押圧によって処理物を圧縮している。プレス体案内シャフト３５は、シリンダーロッド３３ｂの両側に間隔を置いて平行して設けられ下端はプレス体３４の上面に固定される。プレス体３４は、ある程度の厚みを有し後述する結束紐５１及び引っ掛け棒５３を通過可能な水平方向の紐通過間隙を有している。
【００２３】
圧縮室４は、平面視略四角形状の縦長の直方体形状の空間から成り、一側面である前面側に圧縮された処理物Ｂを圧縮室４から取り出す取出口４０を設け、取出口４０の一側面（この実施形態では左側面であり以下左側面とする）に設けたヒンジ４１ａによって水平方向へ回動して開閉可能な取出扉４１を設けている。取出扉４１は、ヒンジ４１ａと反対側の側面（以下右側面とする）に扉抑え部４２と扉抑え部４２を開閉させる取出扉開閉ハンドル４３を設けている。取出扉４１には、その上半分を投入扉４４として、水平方向の折り畳み部分に設けたヒンジによって開閉可能に設けており、投入扉４４が開放されて形成される投入口４５から処理物Ｂを圧縮室４内へ投入可能に設けている。更に圧縮室４の取出口４０の対面壁（以下後壁面とする）の内側に圧縮された処理物Ｂを圧縮室４から取出口４０方向へ押し出す処理物押出機構２の押出板２０を設けている。圧縮室４の押出板２０の位置する壁面上方部分に処理物押出機構２のフック２２が外方向に突出可能な長穴状のアーム戻し溝４６を垂直方向に形成する。
【００２４】
圧縮室４は、この実施形態では取出扉４１の下部内側と後壁面の内側に処理物の復元を防止する突起片である処理物戻り防止爪４７を複数設けていて、取出扉４１側の処理物戻り防止爪４７の一つの片は、底辺が幅広に突起し上端に行くほど狭くなる斜面を有する三角板状の突起片であり、後壁面側には上下端辺が下方に傾斜した平行四辺形状の突起片を設けている。
【００２５】
処理物押出機構２は、前記押出板２０と、プレス体３４の上昇によって押出板２０で処理物Ｂを圧縮室４から押し出す方向へ作動させる押出手段２１及び処理物Ｂを押す作動によって取出口４０方向へ移動した押出板２０を取出扉４１の閉作動によって取出口４０の対面壁の位置に戻す押出板戻し手段７を有する。
【００２６】
押出手段２１は、プレス体３４に設けられる回動軸２２ａを中心に回動可能なフック２２と、このフック２２と係合可能なフックプレート２５及び戻しバネ２７とを有してプレス体３４の上下動によりフック２２とフックプレート２５が係合して上下動可能な連動ロッド２３と、連動ロッド２３と押出板２０との間に設けられる揺動ブラケット２４とを有する。
【００２７】
フック２２は、プレス体３４の上面側の後壁面側に上下方向回動自在に設けられていて、側面視平板状で一端側に上下方向の回動軸２２ａを嵌入可能な孔を設けており、下方角部は回動軸２２ａを中心にプレス体３４上面に干渉せずに回動可能に円弧状になっているとともに、上方角部は鋭角状になっていて、この部分がプレス体３４上面に当接して回動が規制され図８の（ｃ）に示す状態以上は左方向に回動しない形状となっている。従って重心位置が回動軸２２ａの図に示す右側にあるため常に後壁面側に回動している。また、他方の回動端部２２ｃ側は上方角部から基部側に向け鋭角にカットされた形状となっていて、本実施例においては上辺との成す角度は４５度となっている。さらに、回動端部２２ｃ側は平面視Ｕ字状の溝部２２ｂを設けていて、溝部２２ｂ幅は連動ロッド２３が遊嵌可能の寸法となっている。
【００２８】
フック２２は、プレス体３４の下降移動による圧縮作動を含む上下動の間は、本実施例においては自重により常に取出口４０の対面壁方向である後壁面側へ回動端部２２ｃ側が回動していて、回動端部２２ｃ端面が後壁面内側を摺動し図８（ａ）に示す傾斜状態となり、取出口４０の対面する後壁面のフック２２が突出可能な垂直方向に長穴状のアーム戻し溝４６部では後壁面より外方向に突出するとともに底辺部がプレス体３４上面と当接し図８（ｂ）に示す水平状態となる。このようなフック２２が水平になったときの状態では回動端部２２ｃの溝部２２ｂの間に連動ロッド２３が遊嵌可能となる。フック２２は、後壁面側にコイルスプリング等の付勢手段により付勢されていてもよい。
【００２９】
連動ロッド２３は、圧縮室４の後壁面側の壁面外側中央近傍に垂直方向に設けられており、その圧縮室４の天井部分近くの上部に円板状のフックプレート２５を水平状に連動ロッド２３に固定して設けており下方から上昇してくるフック２２と係合可能である。連動ロッド２３は、高さ方向上端部に押出板戻し手段７の構成部材であるプッシュロッド７０と回動可能に嵌合しており、プッシュロッド７０の後壁面外方への移動により揺動ブラケト２４との連結部を回動支点として後壁面より離れる方向に回動してフック２２とフックプレート２５が係合しない状態とすることができる。連動ロッド２３の下部には戻しバネ２７をロッド周囲に巻き付く形で設けており、戻しバネ２７は圧縮室４に固定されるストッパープレート２６と揺動ブラケット２４との間に設けられている。
【００３０】
揺動ブラケット２４は、側面視直角三角形状の２枚の板状体を重ねて連結してなる三角体からなり、上端部２４ａで連動ロッド２３の下端と回動自在に連結しており、下端部２４ｂで押出板２０の後部に突出して水平方向へ移動可能な押出杆２０ａと回動自在に連結し、中間部である三角形の直角回動部２４ｃで圧縮室４の後壁面側の壁面に回動自在に取り付けられている。
【００３１】
押出板戻し手段７は、圧縮室４の天井部の上部に取出口４０側から後壁面側へ水平配設されたプッシュロッド７０と、このプッシュロッド７０を取出口側に付勢する付勢部材であるコイルスプリング７３と、取出扉４１に設けた押圧部７５と、プッシュロッド７０を水平摺動自在に保持する保持金具７２で構成されている。丸棒状のプッシュロッド７０の後壁面側は、水平方向のプレートが固着され、これにプッシュロッド７０と直行する方向に連動ロッド２３が嵌合するロッド嵌合孔７１２が設けてあり、これに直交する連動ロッド２３の上端部と回動可能に嵌合させ連結されており、他端の取出扉４１側は、取出扉４１側に突出して設けられ、中間付近を圧縮室４の天井部上方に前後に２箇所垂設された保持金具７２により水平摺動自在に保持され、取出扉４１側の保持金具７２とプッシュロッド７０に設けたストッパピン７４間に挿入された付勢部材であるコイルスプリング７３により取出扉４１側に付勢されている（図６参照）。
【００３２】
プッシュロッド７０の突設した部分の取出扉４１には、取出扉４１の上面より上方に延設した押圧部７５が設けられ、取出扉４１を閉めるとコイルスプリング７３の付勢力に抗してプッシュロッド７０の突出した端部を後壁面側に押すように設けられていて、押されたプッシュロッド７０は後壁面側の他端に連結された連動ロッド２３を揺動ブラケト２４との連結部を回動支点として後壁面より離れる方向に回動させフック２２とフックプレート２５が係合しない状態とする（図７参照）。このため、取出扉４１が閉められている状態においてはプレス体３４が上下動作してもフック２２により連動ロッド２３が引き上げられることがないため、押出手段２１が作動せずプレス体３４は投入口４５から投入された処理物を繰り返し圧縮できる。また、処理物押出作業終了後にフック２２とフックプレート２５が係合して押出板２０が取出口４０側に突出している状態の場合、取出扉４１を閉めることにより係合が外され、連動ロッド２３に挿入された戻しバネ２７により連動ロッド２３が下方に引き下げられ揺動ブラケット２４が回動し押出板２０が自動的に後壁面側に戻される。
【００３３】
結束手段５は、圧縮室４の後壁面の壁面外側に設けられる結束紐ロール５０と、結束紐ロール５０から繰り出される結束紐５１を案内及び保持する紐ガイド５２と、結束紐を引き出す引き出し棒５３とからなる。
【００３４】
次に、この発明の実施形態である圧縮装置１の処理物押出機構２の押出手段２１及び押出板戻し手段７の作動、更に圧縮手段３、圧縮室４、結束手段５の作動について説明する。圧縮装置１は、図９及び図１０に示されるように取出扉４１の上半分に設けられている投入扉４４を開けて開口する投入口４５から圧縮室４内へプラスチック類、ペットボトル、紙類などの廃棄物を処理物Ｂとして投入する。
【００３５】
次に操作盤６を操作し、圧縮手段３である油圧シリンダー３３を稼働させ、シリンダーロッド３３ｂを上下動させ、シリンダーロッド３３ｂ先端部に設けられるプレス体３４を上下動させる。そしてプレス体３４の下降圧力によって圧縮室４内の処理物Ｂを圧縮し、処理物投入作業の繰り返しとともに、この圧縮作動を繰り返す。プレス体３４が上昇移動するとき処理物Ｂは、上方からの圧力が無くなるため復元しようとするが、圧縮室４内の側面に突出する複数の処理物戻り防止爪４７の底辺に引っかかり復元が防止される。
【００３６】
このとき連動ロッド２３はプッシュロッド７０に押されて後壁面外側に回動していて、連動ロッド２３のフックプレート２５とプレス体３４に設けられたフック２２は、プレス体３４の下降移動による圧縮作動を含む上下動の間は係合せず、連動ロッド２３は上下動しない。このため処理物押出機構２も作動しない。
【００３７】
圧縮手段３による処理物Ｂの圧縮が完了した後に結束手段５を使用して処理物Ｂの結束作業に入る。作業者が操作盤６を操作してシリンダーロッド３３ｂを伸長させた状態で停止させプレス体３４を処理物Ｂを押圧状態で図１２（ｂ）の状態に静止させる。次に作業者が、取出扉４１を開放してプレス体３４にある水平方向の紐通過間隙に引っ掛け棒５３を取出口４０から挿入し、後壁面側にある結束紐５１を引っ掛けて紐通過間隙を通過して取出口４０から図１２（ｃ）に示すように外に出す。次に外に出た結束紐５１を適宜切り処理物Ｂの下を通過している結束紐５１の端部と図１２（ｄ）に示すように結束する（図１）。
【００３８】
このとき取出扉４１が開放された状態であるため、押出板戻し手段７のプッシュロッド７０が取出扉４１側に戻され、連動ロッド２３のフックプレート２５がプレス体３４に設けたフック２２と係合可能状態となっている。この状態から作業者は、操作盤６を操作しシリンダーロッド３３ｂを縮短させプレス体３４を上昇させ図１２（ｅ）に示す状態とする。
【００３９】
シリンダーロッド３３ｂを縮短させプレス体３４を上昇させると、後壁面のアーム戻し溝（長穴）４６が開口している高さになったときにプレス体３４のフック２２が後壁面外に突出するとともに、フック２２回動端側の溝部２２ｂに連動ロッド２３が嵌合し（図２）、更にシリンダーロッド３３ｂを縮短させプレス体３４を上昇させると、フック２２は、連動ロッド２３に固定されているフックプレート２５を下方から係合し押し上げる。これによって連動ロッド２３も戻しバネ２７の付勢力に抗して上昇する。この連動ロッド２３の直線的な上昇により、連動ロッド２３下端部で回動自在に連結している揺動ブラケット２４の上端部２４ａが引き上げられ、直角回動部２４ｃを中心に回動し、下端部２４ｂが押出杆２０ａを水平方向に移動させ押出板２０を圧縮室４内の取出口４０方向へ移動させる。この押出板２０の移動によって結束された処理物Ｂは取出口４０方向へ移動され後壁面の処理物戻し防止爪４７より外れ取り出される（図３）。
【００４０】
次に、作業者は、次工程の圧縮室４内への処理物を投入するために、取出扉４１を閉める。この取出扉４１の閉作動によって、取出扉４１に設けてある押圧部７５がプッシュロッド７０の取出扉側端部７０ａを水平方向の後方へ押圧する。この取出扉４１の押圧部７５の押圧により、プッシュロッド７０全体は後方へ移動する。
【００４１】
プッシュロッド７０の後端部は、連動ロッド２３と回動可能に接続しており、連動ロッド２３も後方へ移動する。連動ロッド２３が後方へ移動することによりフックプレート２５は、フック２２との係合が外れる。係合が外れることにより、連動ロッド２３は、戻しバネ２７の付勢力で下方に引かれる。これにより揺動ブラケット２４の上端部２４ａが押し下げられ、直角回動部２４ｃを中心に回動し、下端部２４ｂが押出杆２０ａを移動させ押出板２０を取出口４０とは逆方向へ移動させ圧縮室４内の元の位置に戻す（図４）。
【００４２】
次に、投入扉４４を開いて処理物を圧縮室４内へ投入し、シリンダーロッド３３ｂを下降移動させ次工程の作業に入る。この作動を順次繰り返し、圧縮作動、結束作動、押出作動、押出板戻し作動を繰り返し、プラスチック類、ペットボトル、紙類などの廃棄物を圧縮減容された圧縮塊とする。
【産業上の利用可能性】
【００４３】
この発明は、プラスチック類、ペットボトル、紙類などの廃棄物を処理物として圧縮減容し結束する圧縮装置に利用される。
【符号の説明】
【００４４】
１  圧縮装置
２  処理物押出機構
２０  押出板
２０ａ  押出杆
２１  押出手段
２２  フック
２２ａ  回動軸
２２ｂ  溝部
２２ｃ  回動端部
２３  連動ロッド
２４  揺動ブラケット
２５  フックプレート
２６  ストッパープレート
２７  戻しバネ
３  圧縮手段
３０  油圧タンク
３１  制御弁
３２  油圧ポンプ
３３  油圧シリンダー
３３ａ  シリンダー本体
３３ｂ  シリンダーロッド
３４  プレス体
３５  プレス体案内シャフト
４  圧縮室
４０  取出口
４１  取出扉
４１ａ  ヒンジ
４２  扉抑え部
４３  扉抑え部開閉ハンドル
４４  投入扉
４５  投入口
４６  アーム戻し溝(長穴)
４７  処理物戻し防止爪
５  結束手段
５０  結束紐ロール
５１  結束紐
５２  紐ガイド
５３  引き出し棒
６  操作盤  
７  押出板戻し手段
７０  プッシュロッド
７０ａ  取出扉側端部
７１２  ロッド嵌合孔
７２  保持金具
７３  コイルスプリング(付勢部材)
７４  ストッパピン
７５  押圧部
【図１】
0005419270.tif 000002
【図２】
0005419270.tif 000003
【図３】
0005419270.tif 000004
【図４】
0005419270.tif 000005
【図５】
0005419270.tif 000006
【図６】
0005419270.tif 000007
【図７】
0005419270.tif 000008
【図８】
0005419270.tif 000009
【図９】
0005419270.tif 000010
【図１０】
0005419270.tif 000011
【図１１】
0005419270.tif 000012
【図１２】
0005419270.tif 000013